(57)【要約】      （修正有）【課題】エレベータケージの位置によって決まる、支持手段の、エレベータケージを支持するケージランと、釣り合いおもりを支持する釣り合いおもりランとの重量差を補償する機器を備えたエレベータ設備装置と、そのような補償を実現する方法の提供。【解決手段】エレベータケージと、釣り合いおもりと、エネルギーおよび／または制御信号を伝送する一体型伝導体を備えた少なくとも１つの懸吊ケーブル３０９とを備えたエレベータ設備装置において、支持手段のケージランと釣り合いおもりランとの重量差に対して、エレベータ設備装置の固定点とエレベータケージもしくは釣り合いおもりとの間に懸吊される懸吊ケーブル３０９によって補償がもたらされ、懸吊ケーブルはそのメートル当りの重量を増加させる手段３１１を備える。【選択図】図３
2007145605.tif 000002
【特許請求の範囲】
【請求項１】
エレベータケージ（１０３、２０３）を支持する少なくとも１つのケージラン（１０７．１、２０７．１）と、釣り合いおもり（１０４、２０４）を支持する少なくとも１つの釣り合いおもりラン（１０７．２、２０７．２）とを含む少なくとも１つの支持手段（１０７、２０７）を備えるエレベータ設備装置（１０１、２０１）であって、エネルギーおよび／または制御信号を伝送する一体型伝導体を備えた少なくとも１つの懸吊ケーブル（１０９、２０９．１、２０９．２）が、懸吊ループの形態で、固定点とエレベータケージ（１０３、２０３）もしくは釣り合いおもり（１０４、２０４）との間に存在し、据え付けられ、
懸吊ケーブル（１０９、２０９．１、２０９．２）が、そのメートル当りの重量を増加させる手段（３１１、６１１、７１９）を含むことを特徴とする、エレベータ設備装置（１０１、２０１）。
【請求項２】
懸吊ケーブル（１０９、２０９．１、２０９．２）が、支持手段（１０７、２０７）の少なくとも１つのケージラン（１０７．１、２０７．１）と少なくとも１つの釣り合いおもりラン（１０７．２、２０７．２）との重量差の少なくとも一部に対して補償をもたらすことを特徴とする、請求項１に記載のエレベータ設備装置（１０１、２０１）。
【請求項３】
懸吊ケーブル（１０９、３０９、４０９、５０９、６０９）に沿ったおもり要素（３１１、４１１、５１１、６１１）がそこに固定されることを特徴とする、請求項２に記載のエレベータ設備装置（１０１、２０１）。
【請求項４】
おもり要素（３１１、４１１、５１１、６１１）が懸吊ケーブル（３０９、４０９、５０９、６０９）に等間隔で固定されることを特徴とする、請求項３に記載のエレベータ設備装置。
【請求項５】
懸吊ケーブル（３０９、４０９、５０９、６０９）が平坦なケーブルであり、おもり要素（３１１、４１１、５１１、６１１）が平坦面の一方だけまたは両方に固定されることを特徴とする、請求項４に記載のエレベータ設備装置。
【請求項６】
おもり要素（３１１、４１１、５１１）を固定する締付要素（３１４、４１４、５１４）を挿入することができる締付用穴（３１３）が、懸吊ケーブルに沿って存在することを特徴とする、請求項５に記載のエレベータ設備装置。
【請求項７】
懸吊ケーブル（６０９、８０９）に沿ったおもり要素（６１１、８１１）がそこに専らクランプ締めによって固定されることを特徴とする、請求項５に記載のエレベータ設備装置。
【請求項８】
おもり要素（８１１）の等間隔での位置決めを容易にするマーキング（８１７）が懸吊ケーブル（８０９）に沿って等間隔に存在することを特徴とする、請求項７に記載のエレベータ設備装置。
【請求項９】
いくつかの並行に配置された懸吊ケーブル（８０９）が、板形状のおもり要素（８１１）によって一緒に連結されることを特徴とする、請求項６から８のいずれか一項に記載のエレベータ設備装置。
【請求項１０】
エネルギーおよび／または信号ライン（７１２）とは別に、懸吊ケーブル（７０９）のメートル当りの重量を増加させるために、重量増加充填材料（７１９）が少なくとも部分的に充填された少なくとも１つの空洞（７１８）が存在することを特徴とする、請求項１または２に記載のエレベータ設備装置。
【請求項１１】
空洞（７１８）が懸吊ケーブル（７０９）内の連続した縦通路の形態で存在することを特徴とする、請求項１０に記載のエレベータ設備装置。
【請求項１２】
支持手段（１０７、２０７）のケージラン（１０７．１、２０７．１）と釣り合いおもりラン（１０７．２、２０７．２）との重量差に対する補償が、メートル当りの重量を増加させる手段（３１１、６１１、７１９）を備える少なくとも１つの懸吊ケーブル（１０９、２０９、３０９、６０９、７０９）によって完全に、専らそれだけによってもたらされることを特徴とする、請求項２から１１のいずれか一項に記載のエレベータ設備装置。
【請求項１３】
エレベータ装置（１０１、２０１）を構成し、または据え付ける方法であって、エネルギーおよび／または制御信号を伝送する一体型伝導体（３１２、７１２）が備えられた少なくとも１つの懸吊ケーブル（１０９、２０９、３０９、５０９、７０９）が、固定点とエレベータケージ（１０３、２０３）もしくは釣り合いおもり（１０４、２０４）との間に懸吊されるように据え付けられ、懸吊ケーブル（１０９、２０９、３０９、５０９、６０９、７０９）のメートル当りの重量が増加される、方法。
【請求項１４】
懸吊ケーブル（１０９、２０９、３０９、５０９、６０９）のメートル当りの重量を増加させる目的で、おもり要素（３１１、５１１、６１１）が懸吊ケーブル（１０９、２０９、３０９、５０９、６０９）に沿って等間隔で固定されることを特徴とする、請求項１３に記載の方法。
【請求項１５】
個々のおもり要素（３１１、５１１、６１１）同士の間隔または個々のおもり要素（３１１、５１１、６１１）の重量、あるいはおもり要素（３１１、５１１、６１１）同士の間隔およびその重量の両方が対応するように選択されるということから、懸吊ケーブル（１０９、２０９、３０９、５０９、６０９）のメートル当りの重量が、所与の据付構成に適合されることを特徴とする、請求項１４に記載の方法。
【請求項１６】
メートル当りの重量が増加される懸吊ケーブル（１０９、２０９、７０９）を製造する方法であって、エネルギーおよび／または信号ラインと並行に延びる少なくとも１つの空洞（７１８）が、懸吊ケーブル（１０９、２０９、７０９）内に作られ、重量を増加する充填材（７１９）で少なくとも部分的に充填される、方法。
【発明の詳細な説明】
【技術分野】
【０００１】
本発明は、エレベータケージの位置によって決まる、支持手段の、エレベータケージを支持するケージランと、釣り合いおもりを支持する釣り合いおもりランとの重量差を補償する機器を備えたエレベータ設備装置と、そのような補償を実現する方法とに関する。
【背景技術】
【０００２】
欧州特許第１４４５２２９号明細書から知られているエレベータ設備装置は、エレベータケージおよび釣り合いおもりと、駆動プーリを備えた駆動ユニットと、駆動プーリの上を走行する支持手段とを備え、エレベータケージと、エネルギーまたは制御信号の伝送をするラインを備えた懸吊ケーブルと並行の昇降路壁との間に、柔軟な重量補償ストランドが据え付けられる。この重量補償ストランドは、例えばリンクチェーンとして、またはワイヤケーブルもしくはベルトの形態で存在することができ、エレベータ設備装置の高さの約半分のところに配設された固定点からエレベータケージの下面まで懸吊ループの形態で延びる。補償用機器が無ければ、ケージ側で長く、釣り合いおもり側で短い支持手段セクションの組み合わせは、例えばエレベータケージの最低位置などで、駆動プーリに大きなトルクを及ぼす。エレベータケージの最高位置では、ケージ側で短く、釣り合いおもり側で長い支持手段セクションの組み合わせは、駆動プーリの他の回転方向にトルクを及ぼす。補償用機器が無ければ、駆動ユニットは、それぞれの負荷の状況に応じて、このトルクを、ケージと釣り合いおもりの重量差から生じるトルクに追加して加えなければならない。欧州特許第１４４５２２９号明細書によるエレベータ設備装置では、上述の望ましくない支持手段の重量の影響に対して、１つの重量補償ストランドまたはいくつかの重量補償ストランドによって補償がもたらされ、メートル当たりの重量が、並行に配置された全ての支持手段のメートル当りの重量のおよそ２倍に相当する。
【０００３】
欧州特許第１４４５２２９号明細書に開示されるエレベータ設備装置は、いくつかの欠点を有する。欠点の１つは、エネルギーまたは制御信号を伝送する一体型伝導体を備えた懸吊ケーブルとは別に、懸吊ケーブルと並行に配置された少なくとも１つの別個の柔軟な重量補償ストランドを据え付けなければならず、その結果、重量補償ストランド自体と、その製造、保管、取り付けのための追加費用が発生する。またさらなる欠点が、そのような柔軟な重量補償ストランドは、メートル当りのそれらの重量に関して限られた数の変形例でしか利用できないという事実にも見出される。したがって、それぞれのエレベータ構成に応じてメートル当り異なった重量を有する支持手段のケージランと釣り合いおもりランとの重量差に対して、最適な補償を実現できない場合が多い。さらに、メートル当り重量のいくつかの変形例で必要になるそのような重量補償ストランドの保管、ならびに追加的に必要となる運搬経費が、大きなコスト増を引き起こす。透明の昇降路を備えるエレベータ設備装置では、追加の重量補償ストランドはさらに設備装置全体の外観を損なってしまう。
【特許文献１】欧州特許第１４４５２２９号明細書
【発明の開示】
【発明が解決しようとする課題】
【０００４】
本発明が有する目的は、従来技術としてここに言及したエレベータ設備装置の上記欠点を有さないエレベータ設備装置を提供することである。したがって特に、支持手段のケージ側のラン（ケージラン）と釣り合いおもり側のラン（釣り合いおもりラン）との重量差を補償する機器を備えたエレベータ設備装置であって、追加の重量補償ストランドを強いず、したがって製造、運搬および取り付けのコストを節約でき、支持手段のケージランと釣り合いおもりランとの望ましくない重量差に対して最適な補償がもたらされるようにエレベータの設備装置の全ての条件に適合することができ、透明な昇降路を備えるエレベータ設備装置の概観を可能な限り損ねることのないエレベータ設備装置が作り出される。
【課題を解決するための手段】
【０００５】
この目的は、本発明によるエレベータ設備装置、ならびに本発明の方法によって達成される。本発明によるエレベータ設備の場合、エネルギーおよび／または制御信号を伝送する一体型伝導体を備えた懸吊ケーブルが存在し、これは、支持手段のケージランと釣り合いおもりランとの重量差を少なくとも部分的に補償し、メートル当りのその重量を増加させる手段を備える。
【０００６】
「メートル当りの重量」は、メートル長さに関する懸吊ケーブルまたは支持手段の重量として理解されたい。
【０００７】
本発明の方法では、エネルギーおよび／または制御信号を伝送する一体型伝導体を備えた懸吊ケーブルであって、メートル当りのその重量を増加させる手段が設けられる懸吊ケーブルが、エレベータ設備装置に据え付けられて、支持手段のケージランと釣り合いおもりランとの重量差を補償する。
【０００８】
したがって本発明は、いずれの場合も存在する、エネルギーおよび／または制御信号を伝送する一体型伝導体を含む懸吊ケーブルのメートル当り重量を適切な手段によって増加させ、それらが、エレベータケージのそれぞれの一時的な位置に応じて異なった長さを有する支持手段のケージランと釣り合いおもりランとの望ましくない重量差を補償するという概念に基づく。
【０００９】
本発明によって達成される利点を、追加の重量補償用ストランドを、それらの全ての上述の欠点とともに省くことが可能であるということに大きく見出すことができる。
【００１０】
本発明と本発明による方法との有利な改良および開発が、従属請求項から明らかであり、以下にそれを述べる。
【００１１】
本発明の実施の好ましい形態では、懸吊ケーブルに沿ったおもり要素がそれに固定される。この簡単な実施の形態によって、市販されている懸吊ケーブルを、支持手段の望ましくない重量の影響に対して最適な形でそれらに対して補償をもたらせるように備え付けることができる。
【００１２】
有利に、おもり要素が等間隔で懸吊ケーブルに固定される。
【００１３】
一体型伝導体を備えた懸吊ケーブルが平坦なケーブルである場合、本発明を特に簡単なやり方で実現することができ、そこでは、おもり要素が懸吊ケーブルの平坦面の一方だけまたは両方に固定される。
【００１４】
おもり要素を固定するための締付要素を挿入できる締付用穴が懸吊ケーブルに沿って等間隔で存在するということから、懸吊ケーブルへのおもり要素の簡単で時間節約可能な取り付けが達成される。
【００１５】
板形状であることが好ましいおもり要素が、懸吊ケーブルに沿ってそこに等間隔で専らクランプ留め金（ｆａｓｔ）によって固定される場合、市販されている、したがって有利な価格の懸吊ケーブルを使用することができる。
【００１６】
有利に、おもり要素を等間隔で位置決めするのを容易にするマーキング、例えば懸吊ケーブルのケーシングの色付マーキングまたは圧痕が、懸吊ケーブルに沿って等間隔に存在する。
【００１７】
全ての支持手段のケージランと釣り合いおもりランとの重量差を補償するために並行に配置された２つ以上の懸吊ケーブルが必要な場合、並行に配置された懸吊ケーブルを、対応する幅の板形状のおもり要素に一緒に連結することが有利である。一群の懸吊ケーブルをこの方策によって、あらゆる水平方向の振動に抗して安定化させることができる。
【００１８】
小さな運搬および取り付け経費しか必要としない本発明の実施の一形態では、エネルギーおよび／または信号のラインに追加して、懸吊ケーブルのケーシング内に、メートル当りの重量を増加させるための、増加する充填材が少なくとも部分的に充填される空洞が存在する。砂、鉄鋼くず、鉛くず、または横切込によって曲がり易くなる金属片が、そのような充填材として問題になる。
【００１９】
有利に、空洞は、懸吊ケーブル内の連続した縦通路の形態で存在し、好都合に、これらの空洞への上記重量増加充填材による充填が、懸吊ケーブルの製造、例えば押し出しプロセスなどで行われる。
【００２０】
懸吊ケーブルのメートル当り重量が所与の状況に適合されるということから、即ち個々のおもり要素同士の間隔または個々のおもり要素の重量、あるいはおもり要素の間隔だけでなく重量も対応するように選択されるということから、本発明による方法の高い融通性が達成される。
【００２１】
本発明の実施の特に好ましい形態によって、支持手段のケージランと釣り合いおもりランとの重量差に対する補償が、少なくとも１つの懸吊ケーブルであってそのメートル当りの重量を増加させる手段を有する懸吊ケーブルによって完全に、専らそれだけによってもたらされる。
【００２２】
本発明の実施例を添付図面によって以下に説明するが、参照表示のそれぞれの最初の数字は、参照表示によって示す項目を図示する図面の番号に対応する。
【発明を実施するための最良の形態】
【００２３】
図１Ａは、エレベータ昇降路１０２、エレベータケージ１０３、および釣り合いおもり１０４を備えたエレベータ設備装置１０１の概略断面図であり、駆動ユニット１０５がエレベータケージおよび釣り合いおもりを、駆動プーリ１０６および柔軟な支持手段１０７によって支持し、駆動する。エレベータケージはその最下位置に示している。一体型伝導体とメートル当りの重量を増加させる手段（ここには示さない）とを備えた懸吊ケーブル１０９が、エレベータケージ１０３とエレベータ昇降路１０２の昇降路壁１０８との間に配置される。この懸吊ケーブル１０９は一方でエネルギーおよび制御信号をエレベータケージ１０３に伝送する役割と、他方で駆動プーリ１０６に作用する２つのラン１０７．１および１０７．２の重量力の影響を補償する役割とを有し、その割合はエレベータケージの位置に応じて変化する。
【００２４】
図Ｂ１も、図１Ａによるエレベータ設備装置を示すが、ここではエレベータケージ１０３をその最上位置で示す。図１Ａおよび図１Ｂから、エレベータケージが底部に位置決めされると、エレベータケージに繋がる支持手段１０７のラン１０７．１は、釣り合いおもり１０７に繋がるラン１０７．２よりもかなり大きな重量を有する。それとは対照的に、エレベータケージが頂部に位置決めされる場合（図１Ｂ）、エレベータケージに繋がる支持手段１０７のラン１０７．１は、釣り合いおもり１０４に繋がるラン１０７．２よりも極めて少ない重量を有する。追加の重量補償手段がなければ、駆動ユニット１０５は、満載されたエレベータケージ１０３または空のエレベータケージ１０３の重量と、釣り合いおもり１０４の重量との最大差から生じるトルクに追加して、駆動プーリ１０６で、支持手段１０７の異なった長さのラン１０７．１、１０７．２の結果生じるトルクに打ち勝つことができるように設計されなければならなくなる。メートル当りの重量を増加させる手段が設けられた懸吊ケーブル１０９は、図１Ａおよび図１Ｂに示すエレベータ設備装置で、エレベータケージ１０３のあらゆる位置で、支持手段１０７の２つのラン１０７．１と１０７．２との間に存在する重量不均衡に対して補償をもたらし、それによって駆動ユニット１０５の駆動力は、エレベータケージの重量と釣り合いおもりの重量との間の可能な最大重量不均衡とだけ対応するように設計すればよい。懸吊ケーブル１０９のメートル当りの重量は、ここでは並行して存在する支持手段ストランド１０７のメートル当りの合計重量の２倍に対応し、懸吊ケーブル１０９のメートル当りの必要重量を達成するために、２本以上の懸吊ケーブルストランドを並行に配置することもできる。
【００２５】
図２Ａおよび図２Ｂは、エレベータケージ２０３と釣り合いおもり２０４とを備えた第２のエレベータ設備装置２０１を、エレベータケージの２つの両極端の位置で示し、エレベータケージは支持手段２０７のケージラン２０７．１で、また釣り合いおもりは支持手段２０７の釣り合いおもりラン２０７．２で懸吊される。この設備装置の駆動ユニット２０５は、釣り合いおもり２０４に配置され、駆動プーリ２０６を駆動するが、駆動プーリ２０６は、静止している柔軟な駆動ストランド２２０との協働によって、ケージラン２０７．１で懸吊されるエレベータケージ２０３と、釣り合いおもりラン２０７．２で懸吊される釣り合いおもり２０４とを駆動する。メートル当りの重量を増加する手段が設けられた第１懸吊ケーブル２０９．１は、エレベータ昇降路２０２の第１昇降路壁２０８．１からエレベータケージ２０３に導かれ、同様のそのような第２懸吊ケーブル２０９．２は、エレベータ昇降路２０２の第２昇降路壁２０８．２から釣り合いおもり３０４に導かれる。実施のこの形態は実際的であるが、それは、少なくともエネルギーを伝送するためのそれぞれの懸吊ケーブルが、エレベータケージ２０３と釣り合いおもり３０４とのそれぞれで必要になるからである。２つの懸吊ケーブル２０９．１、２０９．２それぞれのメートル当りの重量は、ここでは、並行して存在する支持手段ストランドのメートル当りの合計重量に対応する。
【００２６】
図３は、本発明による懸吊ケーブル３０９であって、おもり要素３１１をそのメートル当りの重量を増加する手段としてそこに固定して備えた懸吊ケーブル３０９の断面を示す。懸吊ケーブル３０９は可撓性の押し出し可能な材料、例えばゴムまたは弾塑性材料の実質的に平坦なケーシング３１０を備え、その中に導電性金属ストランド３１２が埋め込まれる。おもり要素３１１を懸吊ケーブル３０９に固定できるように、これはその長さに沿って複数の締付用穴３１３によって設置され、隣接する締付用穴３１３同士の間には必ず同じ間隔ａが存在する。懸吊ケーブル３０９のそれぞれに必要なメートル当りの重量に応じて、単一の間隔ａまたは複数の間隔ａを備えたおもり要素が懸吊ケーブルに固定される。これは、図４および５に関連してここに詳しく示すように、懸吊ケーブルの締付用穴３１３から挿入されたねじ３１４によって実施されることが好ましい。ねじではなく、他の締付要素または連結要素、例えばリベット、ブラインドリベット、スナップ連結部材なども明らかに使用することができる。必要なメートル当りの重量に対応して、おもり要素３１１が懸吊ケーブル３０９の平坦面の一方だけ、あるいは両方に取り付けられ、達成されるべきメートル当りの重量に対応して、異なった重量を備えた一連の利用可能なおもり要素から選択されたおもり要素の使用と組み合わせて、懸吊ケーブルのメートル当りの重量をエレベータ設備装置の仕様に高精度で適合させることができる。
【００２７】
図４は、本発明による懸吊ケーブル４０９の断面図であり、板形状のおもり要素４１１が懸吊ケーブルの平坦面の一方だけに固定される。おもり要素の固定はねじ込み式連結によって実施され、ねじ４１４のシャンクが、懸吊ケーブル内に等間隔で存在する締付用穴の１つから挿入される。自動ロック式ナット４１５が有利にねじ込み式連結に使用される。図４による実施の形態は、メートル当りの重量が比較的僅かにしか増加されない懸吊ケーブルに特に適している。
【００２８】
図５は、本発明による懸吊ケーブル５０９の断面図であり、板形状のおもり要素５１１が懸吊ケーブルの両方の平坦面に固定され、おもり要素は、おもり要素５１１を懸吊ケーブル５０９に対して心合わせし、位置合わせする立ち上がった外側縁５１１．１を有する。おもり要素５１１の固定も同様に、自動ロックねじ込み式連結によって実施され、ねじ５１４のシャンクが、懸吊ケーブル内に等間隔で存在する締付用穴の１つから挿入される。図５による実施の形態は、メートル当りの重量が比較的大きく増加される懸吊ケーブルに特に適している。
【００２９】
図６は、本発明による懸吊ケーブル６０９の断面図であり、板形状のおもり要素６１１が懸吊ケーブル６０９の両方の平坦面に、専らクランプ締めによって固定される。おもり要素６１１は、それらが懸吊ケーブル６０９を超えて横に突き出るように寸法決めされる。必要なクランプ締め力は、クランプ締めねじ６１６によって生み出されるが、これは懸吊ケーブル６０９に横方向に隣接して配置され、２つのおもり要素を一緒に、懸吊ケーブルを超えて突き出るそれらの端部の領域で連結する。自動ロックねじ込み式連結をここで使用することも有利である。図６による実施の形態は、締付用穴が設けられていない市販の懸吊ケーブルに特に適している。
【００３０】
図７は、本発明による懸吊ケーブル７０９の断面図を示し、懸吊ケーブルはそのケーシング７１０の内部に、重量を増加させる充填材７１９が充填された一体型空洞７１８を有する。空洞７１８は、押し出し成形によって実施される懸吊ケーブルの製造中に作られ、充填され、そこでは例えば鉛くず、鉄鋼くず、砂、または横切込によって柔軟に作られた金属層などを充填材として使用することができる。
【００３１】
図８は、本発明による実施の形態を示し、そこでは並行に配置された少なくとも２つの懸吊ケーブル８０９が、複数の板形状のおもり要素８１１によって一緒に連結される。そのようにして懸吊ケーブル機器の全体の安定性が向上され、その振動する傾向が大幅に縮小される。
【００３２】
さらに、図８ではマーキング８１７を示すが、それらは懸吊ケーブル８０９に等間隔で存在し、それによっておもり要素８１１を同様に等間隔で固定するのを容易にできるようにする。マーキング８１７は、例えば、それらの製造で、色付マーキング、レーザーマーキング、または窪み付けされた横溝の形態で懸吊ケーブルのケーシングに形成することができる。懸吊ケーブルのこのようなマーキングは、本発明の実施の全ての形態で実現可能であり、そこで等間隔は、懸吊ケーブルに穴を固定することによって予め規定されない。
【００３３】
メートル当りの重量を増加させる手段による比較的大きな追加の負荷を受ける懸吊ケーブルには、鋼鉄またはプラスチック材料のケーブルの形態の張力補強物を備え付けることができ、それらは導電体と同じように懸吊ケーブルのケーシングに埋め込まれ、懸吊ケーブルの締付位置領域に個別に固定される。
【００３４】
おもり要素の取り付けは、エレベータの構成部品を準備する供給者で実施されるのが好ましい。明らかに、エレベータの据付時に初めておもり要素を、１つまたは複数の懸吊ケーブルに固定することもでき、それは、いくつかの懸吊ケーブルがおもり要素によって一緒に連結される懸吊ケーブルの配置の場合に、特に合理的である。
【図面の簡単な説明】
【００３５】
【図１Ａ】最下位置のエレベータケージと、釣り合いおもりと、支持手段と、エレベータケージおよび釣り合いおもりの間に配置され、支持手段のケージランおよび釣り合いおもりランの重量差を補償する懸吊ケーブルとを備えるエレベータ設備装置の概略的断面図である。
【図１Ｂ】エレベータケージがその最上位置に配設される、図１Ａによるエレベータ設備装置を示す図である。
【図２Ａ】追加の懸吊ケーブルが釣り合いおもりと昇降路壁の間に配置され、エレベータケージが最下位置に配設される第２のエレベータ設備装置を示す図である。
【図２Ｂ】エレベータケージが最上位置に配設される、図２Ａによるエレベータケージを示す図である。
【図３】本発明による、おもり要素が固定された懸吊ケーブルの断面図である。
【図４】本発明による、おもり要素が懸吊ケーブルの片側に固定された懸吊ケーブルの断面図である。
【図５】本発明による、２つのおもり要素それぞれが懸吊ケーブルの各側に固定された懸吊ケーブルの断面図である。
【図６】本発明による、２つのおもり要素がクランプ締めによって懸吊ケーブルの各側に固定された懸吊ケーブルの断面図である。
【図７】本発明による、空洞が懸吊ケーブルのケーシング内に一体化され、重量増加充填材が充填される懸吊ケーブルの断面図である。
【図８】本発明による、並行に配置され、おもり要素によって一緒に連結された２つの懸吊ケーブルを示す図である。
【符号の説明】
【００３６】
１０１、２０１  エレベータ設備装置
１０２、２０２  エレベータ昇降路
１０３、２０３  エレベータケージ
１０４、２０４、３０４  釣り合いおもり
１０５、２０５  駆動ユニット
１０６、２０６  駆動プーリ
１０７、２０７  支持手段
１０７．１、２０７．１  ケージラン
１０７．２、２０７．２  釣り合いおもりラン
１０８、２０８  昇降路壁
１０９、２０９、３０９、４０９、５０９、６０９、７０９、８０９  懸吊ケーブル
２２０  駆動ストランド
３１０、７１０  ケーシング
３１１、４１１、５１１、６１１、８１１  おもり要素
３１１、６１１、７１９  重量を増加させる手段
３１２、７１２  一体型伝導体
３１３  締付用穴
３１４、４１４、５１４  締付要素
４１５  自動ロック式ナット
６１６  クランプ締めねじ
７１２  エネルギーおよび／または信号ライン
７１８  空洞
７１９  充填材
８１７  マーキング
【図１Ａ】
2007145605.tif 000003
【図１Ｂ】
2007145605.tif 000004
【図２Ａ】
2007145605.tif 000005
【図２Ｂ】
2007145605.tif 000006
【図３】
2007145605.tif 000007
【図４】
2007145605.tif 000008
【図５】
2007145605.tif 000009
【図６】
2007145605.tif 000010
【図７】
2007145605.tif 000011
【図８】
2007145605.tif 000012
【外国語明細書】
2007145605.tif 000013
2007145605.tif 000014
2007145605.tif 000015
2007145605.tif 000016
2007145605.tif 000017
2007145605.tif 000018
2007145605.tif 000019
2007145605.tif 000020
2007145605.tif 000021
2007145605.tif 000022
2007145605.tif 000023
2007145605.tif 000024
2007145605.tif 000025
2007145605.tif 000026
2007145605.tif 000027
2007145605.tif 000028
2007145605.tif 000029
2007145605.tif 000030
2007145605.tif 000031